Podtech/llm-jp-corpus-v4-ja_patent huggingface dataset:
(57)【要約】【課題】  この発明は、肌洗いによる肌荒れの基となる皮膚角質の剥離を防ぎ、肌洗いに効果があるクリーミーなきめ細かい洗剤泡を求める幼児、婦人、高齢者等の対応と使用を課題としたものである。【解決手段】（イ）極細繊維布に小さな穴を開けて袋状に形成し、対面側の双方に物体の出し入れ口を設け、紐ゴム等で緊締する。（ロ）（イ）の袋の中へ蝶番状になった吸水性のあるスポンヂ等の中央部に、洗剤を留保する凹部とその凹部に通じる溝を設けたものを投入する。（ハ）（イ）（ロ）にて形成された洗い具を水、温水、流温水等に浸した後、これを肌洗いに用いる。【選択図】  図１
2005224544.tif 000002
【特許請求の範囲】
【請求項１】
（イ）  極細繊維布に直径３ミリ程度の穴を穿ち、対面する双方に（ハ）にて形成するスポンヂ等の出し入れ口を設け、出し入れ口には緊締のための紐またはゴム等が通じる通路を設け、袋状に形成する。
（ロ）  （イ）にて形成された通路に緊締のための紐、またはゴムを通す。
（ハ）  スポンヂ等の水分を吸収する素材を、閉じれば（イ）にて形成された袋に入る寸法で蝶番状に形成し、蝶番状の双方の中央部に、洗剤溜まりとして、凹部を保有させる。
（ニ）  （ハ）にて作られた蝶番状のスポンヂの凹部より、相対する方向へ、外部に通ずる溝を設ける。
（ホ）  （イ）（ロ）にて形成された袋に、（ハ）（ニ）にて形成されたスポンヂ等を投入する。
【発明の詳細な説明】
【技術分野】
【０００１】  この発明は、幼児、婦人等の肌の洗浄について、洗浄効果を高め、肌を痛めない洗浄をするために、穴を穿った極細繊維布で作った袋状の中に、スポンヂ等に液体ソープや固形洗剤等の洗剤を投入し、穴を穿ってもほつれない極細繊維布の性質と、極細繊維布面と穿かれた穴より滲み出る洗剤の細かな泡立ちを使用し、これを肌洗いに使用するものである。
【技術背景】
【０００２】  従来よりタオル等に洗剤を付着させ洗浄を行なう方法はあったが、タオル等の生地面の凹凸では洗浄に効果的なクリーミーな細かい泡立ちにはならず、また急激で強力な洗浄動作によっては生地面の凹凸が皮膚の角質を剥がし、肌荒れの基となるものであった。
【発明の開示】
【発明が解決しようとする課題】
【０００３】  本案は、極細繊維布に包まれたスポンヂ等の中の洗剤が、極細繊維布に穿った穴および微細な織目を通して滲み出る、きめ細かな泡立ちを作りながら、生地面の凹凸が極めて少ない極細繊維布の滑らかな織り表面の特性を応用し、肌洗いに適した用具を開発するものである。
【課題を解決するための手段】
【０００４】  その解決手段を図面により説明すれば、
（イ）極細繊維布（１）に穴（２）を穿ち、袋状（３）に成型する。袋の一方には投入するスポンヂ等の出入り口（４）を対面する側にそれぞれ設け、ゴム、紐（５）等で出入り口を緊締するようにする。
（ロ）袋状の中に投入するスポンヂ等を蝶番状（６）に形成し、蝶番状になった双方の中央部に洗剤溜まりを目的とした凹部（７）を設け、その凹部に通じる液体洗剤の通路（８）を設ける。
（ハ）固形洗剤や粉末洗剤を使用する場合は、スポンヂの中央部に設けた凹部に固形洗剤（９）や粉末洗剤をを設置し、蝶番状のスポンヂを折り返し一体化（１０）した上で極細繊維布で袋状になった出入り口より投入する。
（ニ）液体洗剤を使用する場合は、液体洗剤の容器（１１）に装着されたポンプの噴出口（１２）をスポンヂに設けた通路に差し込み、液体洗剤を注入する。
【発明の効果】
【０００５】  本発明の洗い具を使用すれば、固形、粉体、液体洗剤を問わず、凹凸面の少ない極細繊維布地での洗浄動作により皮膚の角質剥離を防ぎ、クリーミーできめ細かな泡立ちによって洗浄効果を高めることができる。
【発明を実施するための最良の形態】
【０００６】  本洗い具は穴を穿つた極細繊維布地の中に、洗剤を含ませたスポンヂ等を収納し肌を洗浄することにより、極細繊維布地よりきめ細かい泡が出て洗浄効果のある肌洗いができ、また皮膚角質の剥離を防ぐことができる。
【実施例１】
【０００７】  本案の洗い具を使用するときは、洗剤の設置や注入行なった後、本洗い具を水や温湯に浸すか、或いは流温水の中で数回揉むだけである。
【実施例２】
【０００８】  図６は、取り出し口を緊締する紐を伸ばし、対面する側にも出入り口を設け、同様に緊締を行なう紐をとりつけ、手の届かない背中等を洗うことができることを示すものであり、また紐が洗浄の妨げになる場合は、取り出し口の内側に収納して使用することができる。
【実施例３】
【０００９】  固形洗剤を使用する場合は、使用毎に洗剤を出し入れすることはなく、そのまま次回の使用に対応することができる。
【図面の簡単な説明】
【００１０】
【図１】    本発明の完成した形の斜視図
【図２】    本発明の蝶番状になったスポンヂの斜視図
【図３】    本発明のスポンヂに固形洗剤を設置した斜視図
【図４】    本発明の蝶番状のスポンヂを閉じて一体化した斜視図
【図５】    本発明の液体洗剤を注入する場合の斜視図
【図６】    本発明に紐を付けて使用する斜視図
【符号の説明】
【００１１】１は極細繊維布地
２は極細繊維布に穿った穴
３は袋状に形成された極細繊維布
４は袋に設けられた出し入れ口
５は緊締用の紐
６はスポンヂに設けられた蝶番
７はスポンヂの中央部に設けられた凹部
８は凹部に通ずる溝部
９は固形洗剤
１０は蝶番を閉じた状態
１１は液体洗剤用容器
１２は洗剤容器に装着された噴出用ノズル
【図１】
2005224544.tif 000003
【図２】
2005224544.tif 000004
【図３】
2005224544.tif 000005
【図４】
2005224544.tif 000006
【図５】
2005224544.tif 000007
【図６】
2005224544.tif 000008
(57)【要約】水虫防止用具の密着性向上と、着脱性能を備え常時に使用可能とする。また銅イオン効果を用い抗菌・殺菌の効果を施す。【課題】足指のつま先部分及び各々の指間の隙間上皮膚に発生される、水虫の殺菌・抗菌・防臭対策用具であり、今までよりも密着性があり、着脱性能が向上し、常時使用可能を目的とした。【解決手段】足用のつま先取付可能とし、三次元立体構造を持ち足指間隔に密着性を向上させる。また、着脱用のマジックテープを用い常時の使用を可能とする。表面上に繊維化した銅を用いて、伸縮性を可能とし、細部に銅イオン効果をもたらす。【選択図】図１
2005224545.tif 000002
【特許請求の範囲】
【請求項１】
三次元立体構造で抗菌・殺菌・防臭の効果を有する、足用のつま先に取付け可能とした、水虫防止用具。
【請求項２】
前記請求項１は、マジックテープ等の装着で着脱可能であり、部屋の中においても、常時に使用可能としている。また、洗浄・洗濯が可能で、複数回の使用に対応するものである。
【請求項３】
前記請求項１における、三次元立体構造は、フェルトメッシュ状繊維で、伸縮・吸湿を可能とし表面には抗菌性能を持つ銅を繊維状に敷いた形状である。
【発明の詳細な説明】
【技術分野】
【０００１】  この発明は、水虫防止対策等に用いる殺菌・防菌・消臭用具に関する。
【背景技術】
【０００２】  従来の水虫対策用具は中敷状のもので、平面状で着脱が容易ではなかった。また、常時使用ができなかった。
【発明の開示】
【発明が解決しようとする課題】
【０００３】  現在まで、水虫対策用具形態は、平面状であり着脱が難易である。また、治療用具としては、常時使用に難易性があり、密着性に問題があった。
そこで、この発明は、常時使用を可能とし足指そのものに密着性能を上げ、簡単に着脱を可能とすること、及び銅イオンの抗菌・殺菌  性能を有する銅を繊維状で使用する事を課題とした。
【課題を解決するための手段】
【０００４】  以上の課題を解決するために、第一発明は、三次元立体構造を有することを特徴とする水虫対策用具であり、フェルトメッシュ状の繊維で伸縮・吸湿を可能とする特徴である。
また、第二発明は、同・水虫対策用具の上部または周囲に着脱用のマジックテープを用い、常時の使用を可能とする事を特徴とする。
第三発明は、銅を繊維状で表面に用いたことにより、伸縮性能に効果をもちいることを特徴とする。
【発明の効果】
【０００５】  第一発明では、三次元立体構造により足指等に密着効果が上がり常に抗菌・殺菌が持続する。
第二発明は、着脱用のマジックテープを用いることにより、靴・靴下・ストッキングを使用しないときでも、常時に本・水虫対策用具を使用できること。
第三の発明は、抗菌イオンを発する銅を繊維状で使用することにより、伸縮性を持ち細部までに、銅イオン効果を発揮できること。
【発明を実施するための最良の形態】
【０００６】  この発明の一実施形態を、図１に示す。
水虫対策用具の全体はフェルトメッシュ状の繊維であり、中身には吸湿用の綿繊維及び消臭用に活性炭の粉末状のものを用いる。表面に銅イオン効果をもたらせる、銅繊維で覆い施す。上部・周辺に着脱用のマジックテープを用い着脱を可能とする。各・足指の間の突起物上部・及び周囲はマジックテープでの固定が可能とする。【０００７】「実施形態の効果」
この実施形態によれば、足指間の各々四つの山状部分（Ａ）により、密着性が向上し抗菌・殺菌の効率を向上させることが出来る。
マジックテープ部（Ｂ）にて、簡単な着脱を可能とした。また、これにより靴・靴下・ストッキング等を使わない場合でも、常時に使用可能とした。
表面状の銅繊維部（Ｃ）において、繊維状で伸縮可能なため足指間の細部まで殺菌性の銅イオンが到達し効果を広げる。【０００８】「他の実施形態」
本実施形態は、三次元立体構造を主としましたが、部分的な形態をも考察しています。図１は、全指状態。  図２の▲１▼は小指用。▲３▼は親指間用  、など何種かの形態も含みます。
また、記述上の形態は、抗菌・殺菌の効用を持つ銅・銀  等の金属固体そのものでも加工使用することが可能と考えます。
【図面の簡単な説明】
【０００９】
【図１】この発明の一実施形態を示す斜視図である。
【図２】この発明の応用である。
【符号の説明】
【００１０】  （Ａ）足指間の山状突起部
（Ｂ）着脱用マジックテープ
（Ｃ）銅・繊維状
【図１】
2005224545.tif 000003
【図２】
2005224545.tif 000004
(57)【要約】【課題】  現在のキャディバックはパターの長さやフェースの個々の大きさ等に対応しきれていない為、場合によっては他のアイアン等のクラブの出し入れに支障をきたす場合もあり、邪魔になりがちだった。その為に、クラブを取り出しやすくできるようにする事。ゴルフの練習場では２、３本のクラブの持ち運びの為に携帯用のキャディバックを買い足さなくてよく、便利な事。又ａとｂのセットは簡単にできなければならないことに対応した。【解決手段】  キャディバックをａとｂに分割する事により、形状の多様化したパターヘッドにも対応できるよう別納にした。これによりｂの部分は、練習用のキャディバック、又は携帯用にも対応できる。又、ｃとｄによって安定した状態で持ち運びができる。【選択図】  図１
2005224546.tif 000002
【特許請求の範囲】
【請求項１】
キャディバックのａとｂを分割したことでｂの部分が携帯に便利な練習用のキャディバックになること。又、ｂが普段のパターの収納になること。
【請求項２】
ａにｂをセットする為、ｃに入れることでセットが簡易になり、バンドのｄで留める事でより、安定した状態で持ち運びができる。
【発明の詳細な説明】
【技術分野】
【０００１】  本発明は、キャディバックに専用パター入れを設け又、その部分が練習用の簡易なキャディバックとして兼用になるもの。
【背景技術】
【０００２】  従来のキャディバックは練習用には小型のキャディバックを買い足したり、詰め替えたりの手間があり、又パターの収納には深すぎたりフェースの大型化が増えたために窮屈になりがちである為、その部分を他のクラブと別に設けることで対策したものである。
以下、図１、図２、により詳細の説明する。
【発明の開示】
【発明が解決しようとする課題】
【０００３】  以上に述べたとおり従来のキャディバックでは練習用のキャディバックを買い足さなくてはならなかったりした。【０００４】  本発明は、大型化したパターヘッドにも収納を便利にしようとしたもの。
【課題を解決するための手段】
【０００５】  そして、本発明は上記目的を達成する為にｂの部分を設け又、練習用には携帯に便利に外せるように、ａとｂの分割をした。又、分割したことにより生じる不安定さもｃとｄを設けることによって解決できる。
【発明の効果】
【０００６】  上記したように、本発明は部分的にｂの部分をパター入れにしたり、携帯にも便利に外せたりできる為、より機能的で又、パターが他のクラブの出し入れに支障がないようにできる。
【発明を実施する為の最良の形態】
【０００７】  図１において説明
図２においては、分割した状態を示す。
【図面の簡単な説明】
【０００８】
【図１】  キャディバックの全体図
【図２】  キャディバックの分割した状態
【図１】
2005224546.tif 000003
【図２】
2005224546.tif 000004
(57)【要約】      （修正有）【課題】患肢のリハビリで、従来は患者が体重計で感覚的に覚えていた患肢への負荷重量を具体的に指示し確認できるようにする。【解決手段】足部あるいは靴につけた重量計１、負荷重量をセンサー３に伝える電気回路２を利用し、患肢の足底、あるいは靴底につけて、１０、２０、３０Ｋｇなどの負荷重量を指示し、確認しながらリハビリできるようにする。指示した体重負荷を灯又は音で知らせるので、指示負荷重量を確認しながらリハビリすることができる。【選択図】図１
2005224548.tif 000002
【特許請求の範囲】
【請求項１】
重量計、センサー、電気回路を用いて、患肢への負荷重量を指示確認できるリハビリ用具。
【発明の詳細な説明】
【発明の詳細な説明】
【０００１】［発明の属する技術分野］
重量計、センサー、電気回路を利用し、患肢への負荷重量１０Ｋｇ、２０Ｋｇ、３０Ｋｇなどを指示し確認できるリハビリ用具。
【０００２】［従来の技術］
従来は、患肢への指示重量を、患者が体重計で感覚的に覚えてリハビリするので、極めて不正確であった。
【０００３】［発明の実施の形態］
足部あるいは靴につけた重量計１、負荷重量を電気回路２に伝えるセンサー３、電池４、電灯５あるいは電鈴および、１０、２０、３０Ｋｇなどの重量を、スライドする指示ボタン６を用いて、負荷重量を指示し確認できる形態。
【０００４】［発明の効果］
本装置の使用により、指示した体重負荷を灯又は音で知らせるので、１０、２０、３０Ｋｇなどの指示負荷重量を確認しながら、下肢のリハビリをすることができる。
【図面の簡単な説明】［図面１］  靴に装着した斜視図
［図面２］  電気回路、センサー、重量計と１０Ｋｇ作動状態
［図面３］  ２０Ｋｇ作動状態
［符号の説明］
１  重量計
２  電気回路
３  重量を電気回路に伝えるセンサー
４  電池
５  電灯
６  スライドする重量指示ボタン
【図１】
2005224548.tif 000003
【図２】
2005224548.tif 000004
【図３】
2005224548.tif 000005
(57)【要約】【課題】    本発明の装入機を使う事より、袋の大きさに対応できる為、まとめて商品等を装入でき、時間短縮、コストを下げることが出来る。【解決手段】    従来カウンターテーブルが設置してある商店などでは商品等を１つずつ手で装入していたが、この装入機を使う事により引き出し部分にまとめて商品等を置き一度に袋に装入できる横行式手動装入機。【選択図】    図１
2005224547.tif 000002
【特許請求の範囲】
【請求項１】
フレーム設置金具をカウンターテーブルに挟み、設置金具固定ボルトを右回しに締めると、引き出しが２０ｍｍ程隙間を保つ装入機。
【請求項２】
商品の大きさに合わせて、引き出しの大きさを調整できる装入機。
【請求項３】
引き出しを調整し、商品等を引き出しの上に乗せ袋を引き出しの先からすくい入れる装入機。
【請求項４】
引き出しを引き抜くと引き出しが落下固定穴に引き出し落下ストッパーが入り固定された所で引き出しと作動部が一体となりカウンターテーブル手前下に下がる装入機。
【発明の詳細な説明】
【技術分野】
【０００１】    本発明は力ウンターテーブル上を損なうことなく商品等の大きさに引き出しが手動で調整でき、素早くまとめて装入できる。
【発明の開示】
【発明が解決しようとする課題】
【０００２】    従来は商品等を袋に装入する時には手で１つずつ袋に装入していた。又、時間もかかり人手を増やし人件費・コストもかかっていた。
【課題を解決するための手段】
【０００３】    本発明の装入機を使う事により、引き出しをスライドさせ大きさを調整し商品等をまとめて装入でき、袋も少なく済み、人件費・コストも下げることができる。
【発明の効果】
【０００４】    本発明の装入機を使う事により素早くまとめて装入でき、カウンターテーブル上はいつもの状態で使用出来る。又、人件費・コストも下げることができる。
【産業上の利用可能性】
【０００５】    主にカウンターテーブルが設置してある商店など全般に取り付け可能である。又、商品等をまとめて一度の袋に装入できる。
【実施例】    以下、この発明による横行式手動装入機の実施例を図１から図９について説明する。【０００６】    図１−１をカウンターテーブルに挟み、図１−２を右回しで締めると図１−４・５が宙に浮き固定される。【０００７】    図１−１１を持ち、左にスライドさせると図２の状態になる。【０００８】    袋の大きさに合わせて図１−１１を持ち調整をする。【０００９】    図１−４・５の上に商品等を乗せ、図１−４・４Ａの先端から袋を図１−８Ａまで入れ込む。【００１０】    図１−３を持ち手前に図１−４・４Ａを引き抜く。【００１１】    図１−４・４Ａを引き抜くと同時に図１−８は固定されている為、図１−４・４Ａを引き抜いた時に商品等は袋に装入される。【００１２】    図１−４・４Ａを図４の状態まで引き抜くと、図７−２２が図１−７に行く手を拒まれる。【００１３】    図４の状態で図１−３を持ったまま下げると図５の状態になる。
【図面の簡単な説明】
【００１４】
【図１】全体の後方左斜視図
【図２】図１−４・４Ａをスライドした時の後方左斜視図
【図３】全体の側面図
【図４】図１−４・４Ａを引き抜いた時の側面図
【図５】図１−４・４Ａを下に下げた全体の前方左斜視図
【図６】図１−４・４Ａを下に下げスライドした時の前方左斜視図
【図７】図１−６Ａに係する前方左斜視図
【図８】図１−４・４Ａの裏面図
【図９】図１−４・４Ａの後方左斜視図
【符号の説明】
【００１５】１．    テーブル設置固定金具
２．    テーブル設置固定ボルト
３．    引き出し握手
４．    右側引き出し
４Ａ．  左側固定引き出し
４Ｂ．  引き出しスライドキャスター
５．    引き出し固定レール
５Ａ．  引き出し固定レール
６．    作動部
６Ａ．  作動部カバー
７．    引き出し落下固定穴
８．    ストッパー
８Ａ．  ストッパー金具
９．    引き出し横行ダウンフレーム
９Ａ．  引き出しダウンフレーム
１０．  固定ダウンフレーム
１１．  引き出し横行スライドに握手
１２．  横行スライドレール凸
１２Ａ．  横行スライドレール凹
１３．  引き出し横行下部レール
１４．  横行フレームレール凸
１４Ａ．  横行フレームレール凹
１５．  ダウンフレーム固定通しボルト
１６．  横行フレーム振止パイプ
１７．  ダウンスライド通しボルト止め
１８．  引き出しストッパー解除穴（安全装置）
１９．  フレームスライド切込穴
２０．  引き出しキャスター
２１．  外れ防止キャスター
２２．  引き出しストッパー金具
２３．  ストッパー金具固定スプリング
２４．  引き出し落下補助フレーム
２４Ａ．  補助フレームカバー
２５．  作動部カバーボルト
【図１】
2005224547.tif 000003
【図２】
2005224547.tif 000004
【図３】
2005224547.tif 000005
【図４】
2005224547.tif 000006
【図５】
2005224547.tif 000007
【図６】
2005224547.tif 000008
【図７】
2005224547.tif 000009
【図８】
2005224547.tif 000010
【図９】
2005224547.tif 000011
(57)【要約】〔課題〕従来寝台上の病人を入浴させる方法としては、機械装置により病人をつり上げて運び浴室で病人を浴槽中に入れて居たが、之は危険を伴い、非力の看護人では行う事が出来なかった。〔解決手段〕ゴム、又はビニール布の如き防水布を用い寝台の布とんの上で病人を中に入れた状態で浴槽を形成し、寝台上で病人を入浴水洗出来る事となった。【選択図】図３
2005224582.tif 000002
【特許請求の範囲】
【請求項１】
四隅に２ヶづつ小孔を明け、この中を通る４組の紐を有す、ゴム又はビニールの如き防水性の布を布とん上に敷き、病人をこの上に横たえて前述の紐を引つ張る事により簡単に浴槽を、寝台上で形成出来る病人看護用寝台
【請求項２】
病人が横たわる布とんについて、病人の大部分の体重が加わる中央部は少し固いものとし、例えば病人の腕の部分の如く両側の部分には、例えば羽毛の如き保温材料を入れて柔かい部分を作り、寝台の布とんの上で浴槽を作りやすくせる病人看護用寝台
【請求項３】
前記布とんについて、之をビニール布の如き薄くて防水性に富む布で包み、この上に毛布を敷いて病人が上に横たわる方式とし、病人の排泄物等で布とんが、直接汚れぬ様にせる病人看護用寝台
【請求項４】
寝台の片側に吊り上げ用の支柱を立て、上部よりゴム紐を下げて置き、病人を寝返りさせんとする時は、あらかじめこのゴム紐により吊り上げ力を病人にかけて置く、その後看護人が病人をだき起す力をかける。こうすれば２倍の力をかけた事になり非力の看護人でも楽に看護出来る。吊り上げ用支柱にゴム紐を設置せる病人看護用寝台
【発明の詳細な説明】
【技術分野】
【０００１】本発明は老人の如き非力の看護人でも、病人を寝かせたまゝで、入浴、水洗等の看護業務が楽に出来る病人看護用寝台に関す
〔背景技術〕【０００２】従来は寝台上で寝ている病人を入浴させるには、機械装置により病人を浴室まで運び、更にこの装置により病人を持ちあげて浴槽中に入れる方法が用いられていた。然しこの方法は危険であり非力の看護人ではとても出来ない。
〔発明の開示〕
〔発明が解決しようとする課題〕【０００３】従来使用された浴槽より更に合理的なもの、即ち病人を寝台上で寝かせたままで、非力の看護人でも楽に入浴水洗させる事が出来、浴室を設備する必要の無い事を意図する。【０００４】上記の課題について本発明は次の如き手段を取った。病人を入浴させる時のみ布とんの上に浴槽を形成するのであるが、病人を中に入れたままで浴槽を布とんの上で形成する方法を考案した。そして更に病人を水洗中水滴等により布とんが濡れない様に工夫した。【０００５】以上の発明により、病院内で最も厄介な病人の入浴水洗、その他の看護業務が楽になり、特に老人に福音をもたらす
〔発明を実施するための最良の形態〕【０００６】以下本発明の実施の形態を図１より図３に示す。【０００７】図１は本発明の寝台の主要部を示すが、布とん、浴槽等の付属品は図２、図３に細部を説明してある。図１に示される本寝台の上面図及び側面図について、１は寝台の台枠  ２は断面が矩形状の寝台脚、３は布とんを上に敷く寝台板であり、何れも鉄等の金属製である。４は布とん、５は布とんの上に敷く毛布、６は布とんの上に浴槽を形成する為の浴槽支持棒である。７は病人を寝返りさせる時、非力の看護人が使用するつり上げ装置である。【０００８】図２に布とんの細部を述べてあるが、いは一般の寝台の布とんと同じ固さを有するが３の部分、即ち病人の腕の下に相当する部分は羽毛の如き柔かい保温材料を入れてある。この目的は後で説明する。８はビニール布の如き防水性の布で作った布とん袋であり、病人があやまって排泄時布とんを汚す時、又病人を水洗時あやつて布とんを濡らすのを防ぐのである。５は毛布であるが、ビニール布で包んだ布とんの上でも病人が気持ち良く休める為のものである。
９は浴槽を形成する役目をする浴槽布であるが、防水性を有するビニール布又はゴム布の如く薄くて丈夫なものを用いる。この浴槽布は四隅に２ヶづつ孔を有し、この孔を貫通し浴槽形成紐１０を有す。１１は防水滴布であり布とんと殆んど、同じ大いさの防水布であり、浴槽布の下部に張りつけられる。防水滴布１１は布とんの上、即ち毛布５の上に浴槽を形成した時、あやまって水滴で下部の毛布を濡らさない役目をする。この浴槽の形成方法等は図３に示される。図２の下部につり上げ装置の細部を示すが７はつり上げ装置の主部分を示すが、金属製のパイプであり寝台枠１に固着され、天上棒にゴム紐１２を有す。病人をだき起す時には、このゴム紐１２を利用し、病人にあらかじめ張力をかけておく。その後病人をだき起す力をかけるが、理論的には、２倍の力をかける事になり、非力の看護人でも楽に病人をだき起せるのである。【０００９】図３は以上説明した浴槽の形成方法を示す。図３に浴槽布９が箱形の浴槽に形成されたものを示すが、浴槽紐１０を引張り浴槽支持棒に結べば簡単に浴槽が形成される。図３の下部は病人を中に入れて浴槽を形成する、を説明したものである。３−１は常時病人が寝台上で休んでいる状態を示す。浴槽を形成せんとする時は先づ３−２の如く、病人を寝返りさせて寝台の右端に寄せ、図の如く浴槽布９を布との上、即ち毛布の上に広げる。この時浴槽布は図２の下部に示せる如く両端を少し丸めて置く。３−３はこの浴槽布の上に病人が横たつている状態を示すが、この時この浴槽布の丸めた部分を図の先印の如く外に引き出すのである。この時この布とんの部分は柔かいので簡単に出来るのである。即ち布とんの中央は前述の如く固い部分で出来ているので、この柔かい部分にかゝる体重はごく少く浴槽布の丸めた両端は楽に外に出るのである。３−４は病人を中に入れた状態で浴槽を形成した事を示すが、防水滴布１１は最下部となり、その下の布とん部分を守るのである。その後病人の体の上に湯をそそぐのであるが、病人を水洗後図３の最下部に示す如く、浴槽布の左側の紐のみ自由にすれば簡単に排水出来る。こうしてこの排水は寝台の横に受水箱を置いて受けても良く、又排水ポンプを使用しても良い。排水後浴槽布の水滴をよく拭き取り又端を丸めて３−３と同じ状態の３−５の形とする。その後３−２と同じ状態にし元の状態３−１に帰るのである。浴槽布は屋外で乾かして後適当な所で保管する。
【図面の簡単な説明】
【０００１０】〔図１〕寝台の構造
〔図２〕付属品
〔図３〕浴槽の使用方法
【符号の説明】
１．寝台  ２．寝台脚  ３．寝台板  ４．布とん  ５．毛布  ６浴槽支持棒  ７つり上げ装置  ８．布とん袋  ９．浴槽布  １０浴槽成形紐  １１防水滴布  １２．ゴム紐
【図１】
2005224582.tif 000003
【図２】
2005224582.tif 000004
【図３】
2005224582.tif 000005
(57)【要約】      （修正有）【課題】簡単に吸飲でき、また倒れても缶ジュースの中身を漏れにくくすることができるキャップストローの提供。【解決手段】(１)エアー抜きの穴を、２個にした。（合計丸穴は３個）ペットボトル内の底の部分の先端を、Ｖ字に、カットしたら、楽に、吸える様になった。(２)キャップのスカート部分を直径で、２ｍ／ｍ大きくして、逆にして、ボトルに入れ、スカート部分が、ボトルに引きかかり、セットできた。(３)プルトップのツマミを、おこし、立てて、上からキャップをかぶせて使える。【選択図】図１
2005224581.tif 000002
【特許請求の範囲】
2005224581.tif 000005
【発明の詳細な説明】
【技術分野】
【０００１】本発明は、ペッドボトルのキャップと、ストローの組合せ、他、缶ジュースのキャップとストローで、大部分の物に対応出来ます
【背景技術】
【０００２】
2005224581.tif 000003
【特許文献１】
【特許文献２】
【非特許文献１】
【非特許文献２】
【発明の開示】
【発明が解決しようとする課題】
【０００３】解決しようとする問題点は、片手でも、吸飲力の増強で、幼児、病人などにも楽に、簡単に飲めます。缶ジュースも、キャップストローを使って飲めます今まで、短いストローで、底部まで、飲めなかった。缶ジュースを、こぼさず、ほこりを入れずに、飲みたい。
【課題を解決するための手段】
【０００４】本発明は、吸飲力の増強を、ストロ−底部のＶ字カットで増強した。
【発明の効果】
【０００５】本発明で、幼児、病人、お年寄の方にも、簡単に飲める様になりました。
【発明を実施するための最良の形態】
【０００６】自動車の中での吸飲、幼児、病人、お年寄の方が、簡単に吸飲出来る様になった。倒れても、漏れにくく、なった。
【実施例】
【０００７】図１は本発明装置の改良です
【産業上の利用可能性】
【０００８】病院の入院看者さん、車の運転手さんなどに、使ってもらえると思います
【図面の簡単な説明】
【０００９】
【図１】 
2005224581.tif 000004
【図２】ジャバラを２段に、底部分をＶカットした。
【図３】缶ジュースにも使える様にした。
【符号の説明】
【００１０】
【図１】
2005224581.tif 000006
【図２】
2005224581.tif 000007
【図３】
2005224581.tif 000008
(57)【要約】【課題】    奥行き寸法の小さくてコンパクトな玉発射装置を提供すること。【解決手段】  パチンコ機の玉発射の駆動部を扁平なコイルと扁平な磁石の組み合わせで構成して奥行き寸法が小さくて大きな駆動力が発揮できる構造の玉発射装置を提供する。【選択図】図１
2005224561.tif 000002
【特許請求の範囲】
【請求項１】
基板に固定した磁石（２）と、その磁極正面に少し隙間を空けて位置するように取り付けた扁平に成型したコイル（１）と、そのコイルを保持する保持部と契合し軸受けによって基板に支持された回転軸（４）と、同回転軸に固着され他端に打球子を取り付けたアーム（５）とで構成される、パチンコ機の玉発射装置。
【請求項２】
請求項１におけるコイル（１）を基板側に固定し、磁石（２）を磁石保持部（１７）によって回転軸（４）に保持されるようにしてなる、パチンコ機の玉発射装置。
【請求項３】
請求項１におけるアーム（５）に替えて、打球子（６）をコイル（１）の回転軸と反対側に固着した固着アーム（１８）に取り付けてなる、パチンコ機の玉発射装置。
【発明の詳細な説明】
【技術分野】
【０００１】  本発明はパチンコ機の玉発射装置の構造に関するものである。
【背景技術】
【０００２】従来のパチンコ機の玉発射装置の構造は最も普及したものとして先端に打球部を備えたレバーをバネの反発力とモーターで駆動されるカムで作動させて玉を打つ方式のものがあるが近年ではレバーを直接回転ソレノイドで駆動するものや、直接電磁力で玉を発射させようとする方式のものも採用されている。
【特許文献１】  特許公開平１０−１２７８６９
【特許文献２】  特許公開平８−２５２３５８
【特許文献３】  特願２００３−１２８４８５
【発明の開示】
【発明が解決しようとする課題】
【０００３】  上記の従来の打球レバーをバネ力と駆動カムで作動させる方式のものではその所要空間がパチンコ機に占める容積が大きく又その問題を解決すべく考案された直接電磁力で玉を発射させようとする方式では玉の発射力の制御が難しいことや、回転ソレノイドでレバーを駆動する方式ではその駆動部の奥行き寸法が大きくなる等の問題がある。
【課題を解決する為の手段】
【０００４】  本発明のパチンコ機の玉発射装置はその駆動力として、フレミングの左手法則による電磁力を利用し、その構成要素である磁石とコイルに扁平な形状のものを採用して駆動部を構成する。
【発明の効果】
【０００５】    本発明による玉発射装置では駆動部を構成する各要素を扁平な形状のもので構成するので駆動部の奥行き寸法は小さく出来、又構成要素の数も少ないのでコンパクトなパチンコ機の玉発射装置を提供することが出来る。
【発明を実施するための最良の形態】
【０００６】  本発明の考案にもとずく最良の形態は所要の打球力を発揮できる限りにおいて最も扁平で、且部品点数が少なく、従ってコンパクトなパチンコ機の玉発射装置を提供する為に、扁平な磁石と扁平なコイルを用いて、コイル通電の際に両者の間に生ずるフレミング左手の法則にもとずく駆動力が最も有効に発揮できる形態をなすことであり。  そのための実施例を下記に述べる。
【実施例１】
【０００７】  図１は本発明の１実施例であって、図２はその断面図であるがその図において、打球子６を取り付けたアーム５を保持カバー８と基板７に取り付けたベアリング１９に支持された回転軸４に固着し、その回転軸４には又保持部３を介して扁平に成型されたコイル１が固着されている、そしてそのコイルの両面に少し隙間を設けて位置するように磁石２、２’を磁極Ｎ，Ｓが対極なす向きにしてそれぞれ基板７と保持カバー８に取り付けてある。【０００８】  又コイル１は図１に示す如く扇形にして矢印１３と矢印１３Ａが位置するコイル巻き線側にはそれぞれ反対極なるように磁石２、２’と２Ａ、２’Ａをそれぞれ基板７及び保持カバー８に取り付ける、又コイルの作動範囲の両端にはストッパー１１を設けて置く。【０００９】  以上のようにして構成された本発明品において、コイル１に通電すると例えば矢印１３の方向に電流が流れるとフレミング左手の法則によりコイルに矢印１４方向の力が生じ回転軸４を回転させ従ってアーム５を振り回すことになる、電流を逆に流せば逆方向に回転力が働く、以上のようにして反復回転をするアーム５の回転力によりその先端に取り付けた打球子６は発射レール１０上にあるパチンコ玉９をたたいて発射させることが出来る。【００１０】  尚、磁石２と反対極に配置した磁石２Ａ側にはコイル電流は矢印１３Ａ方向にと反対方向に流れるのでコイルに働く推力としては同じく矢印１４の方向に働き、磁石を複列配置することによって同一電流で２倍の回転力を得ることが出来る。
【実施例２】
【００１１】  図３は請求項２に該当する本発明の他の実施例であるが、図２と比べると明白なように、実施例１で基板７及び保持カバー８側に固定していた磁石２及び、２’を磁石保持部１７を介して回転軸４に固着して回転側にし、コイル２を固定部１６によって保持カバー８に取り付け固定側にしてなる構成のパチンコ機の玉発射装置であり、推力発生の原理は上記実施例１と全く同じであり機能も同じである。
【実施例３】
【００１２】  図４は請求項３に該当する本発明の他の実施例であるが、実施例１において回転軸４に固着したアーム５を使用しないで、打球子６をコイル１の先端に取り付けた固着アーム１８に取り付けてなる、本発明によるパチンコ機の玉発射装置である。
【産業上の利用可能性】
【００１３】  本発明品は形状が扁平で大きな回転力を発揮できる特長を有する製品なので、扉の施錠装置等のような駆動部に奥行寸法の制約があるような物の用途に適し、利用に適する産業としては、  自動車産業や、建築資材産業、が考えられる。
【図面の簡単な説明】
【００１４】
【図１】本発明の実施例１の正面図である。
【図２】本発明の実施例１のＡ−Ａ断面図である。
【図３】本発明の実施例２の断面図である。
【図４】本発明の実施例３の断面図である。
【符号の説明】
【００１５】１      コイル
２      磁石
３      保持部
４      回転軸
５      アーム
６      打球子
７      基板
８      保持カバー
９      パチンコ玉
１０    発射レール
１１    ストッパー
１２    リード線
１３    矢印
１４    矢印
１５    矢印
１６    固定部
１７    磁石保持部
１８    固着アーム
１９    ベアリング
【図１】
2005224561.tif 000003
【図２】
2005224561.tif 000004
【図３】
2005224561.tif 000005
【図４】
2005224561.tif 000006
(57)【要約】【課題】  厚手の生地を洗濯する場合、従来の手だけによる押し洗いやつけ置き洗いでは不十分で、また洗濯機での回転式洗濯法では生地も傷み、生地の中に洗剤が残り易くすすぎが容易ではなかった。【解決手段】  板全体の圧力を利用することにより広範囲に汚れを落とし、厚い繊維の中に洗剤が残らないように給水と同時に圧縮しながらすすげるので短時間で効果的な洗濯・すすぎが厚手の生地にも可能になる。【選択図】  図１
2005224570.tif 000002
【特許請求の範囲】
【請求項１】
洗濯機やタライなどの中でも押し洗い及び押しすすぎが出来るよう中央に給水用の穴とノズル、加圧用に取手がついている洗濯用押し洗い板。
【発明の詳細な説明】
【技術分野】
【０００１】  本発明は、家庭用洗濯用品に関する。
【背景技術】
【０００２】  実用新案公開平６−５８８８２には押し洗い式を利用した押し洗い式脱水洗濯機がある。
【発明の開示】
【０００３】  毛布やジャンパーなどの厚手の洗濯物を洗濯機内や容器内で充分な押し洗い及び押しすすぎをすることを目的とする。
【発明が解決しようとする課題】
【０００４】  従来の手押し洗い・つけ置き洗いでは充分に洗濯やすすぎができなかったが、この押し洗い板を使うことによってかなり改善され、洗剤・水の節約にもなり、洗濯機を買い換える必要もない。
【課題を解決するための手段】
【０００５】  本発明は、押し洗いだけでなく押しすすぎも出来るよう円盤状の板の中央に給水用の穴とノズルを設け、手で容易に圧力を加えられるように取手をつけた物である。
【発明の効果】
【０００６】  洗濯物の生地を傷めることなくわずかな力で効果的に充分な押し洗い及び押しすすぎが洗濯機内またはタライ内で出来る。
【発明を実地するための最良の形態】
【０００７】  洗濯機用には直径３５ＣＭ前後で、加圧しても割れないような強度・厚みが必要。洗面器など容積の小さな物には取手は一つの方が使いやすい。
【図面の簡単な説明】
【０００８】
【図１】  本発明の洗濯機用図面
【図２】  本発明の小物用図面
【符号の説明】
【０００９】  Ａ−取手
Ｂ−給水用ノズル
【図１】
2005224570.tif 000003
【図２】
2005224570.tif 000004
(57)【要約】      （修正有）【課題】地震による家具類の倒壊を防止する、簡単で有効な装置の開発。家具を壁面に保持しようとねじ釘等で固定しても、応力が集中して役に立たないことがある。【解決手段】柔軟で、強いシートを壁面に貼り、その中央部からＴ字状に家具側面に張り付けるシートをもうけ、地震の衝撃による壁面の応力を広い接着面積の分散して、壁の破壊を防止する。【選択図】図３
2005224562.tif 000002
【特許請求の範囲】
【請求項１】
家具類の外側面に貼着するシート部を、部屋の壁面に貼着するシート部のほぼ中央付近からＴ字状に連接してなる耐震用家具転倒防止具。
【請求項２】
前記、両シート間の結合を、マジックテープで着脱可能にした、耐震用家具転倒防止具
【発明の詳細な説明】
【発明の詳細な説明】
【技術分野】
【０００１】本発明は、地震の時家具の転倒を防止するために、家具を支持する転倒防止具に属する。
【背景技術】
【０００２】家具を支持するのに簡単な装置で支える事。阪神神戸大震災のの様な激震では、家具を壁面に保持しようと壁にねじ釘等で装置を固定しても、全部吹き飛んでしまう。
【発明の開示】
【発明が解決しようとする課題】
【０００３】解決しようとする問題は、強度の無い合板の壁や、コンクリート壁で、ねじをたてねばならないような壁では、固定ねじの部分に応力が集中して、ねじが抜け、役に立たない事にある。狭い面積に大きな力が集中するのを避ける。
【課題を解決するための手段】
【０００４】本発明は、壁面と家具側面に、丈夫なシートを粘着財で張り付け、広い面積に応力を分散させて、シートの単位面積当たりの、荷重や、衝撃を減らし、又壁面にかかる地震振動による負荷を大きな面積で受け、倒壊を防止するものである。この場合粘着剤は、粘弾性物質であるほうが、固体化した樹脂接着剤よりも、応力が分散するし、瞬間的な衝撃に耐える。シートの材料は、ガムテープの様な裂断しやすい織り方ではなく、柔軟で引っ張り力の大きい事が必要で、弾性のあることが望ましい。また壁面用のシートと家具側面用シートとの連結は、【図３】示すように連続したのがよい。此の連結部は、家具側面用シートの引っ張りにより壁から持ち上げられる部分であり、変形による応力の吸収、緩和の効果は有るが、裂断しやすい部分となる。
両シートは、一体になったものでよいが、両者をマジックテープで着脱出来る様にすれば、取り付け作業が便利になる。
【発明の効果】
【０００５】本発明の効果として、極めて安価で扱いやすく、地震振動に耐える家具の耐震転倒防止装置が得られる。
（発明を実施する為の最良の形態）【０００６】【図１】に本発明の実施状態を示す。家具【１】の上面と側面に貼ったシートに連接した壁面シートを壁面に貼りつけた状態を示す。
シートは、引っ張り力の大きい、たわむ素材で、厚さは１ミリメートル迄位でよい。シートの巾は６０ミリ程度。巾を大きくすれば、一箇所の傷から、応力で裂断する可能性があるから、何段にもわけ手使用した方がよい。粘着剤の表面は剥離紙でカバーし之を剥がして使用し、使用者が扱いやすい様にする。ガムテープで実験したが、此のテープは切断しやすく作ってあるので、大きい張力に耐える素材と織り方が大切である。
【実施例】
【０００７】図【２】、図【３】は最も基本的な構成で、壁【２】にはりつける壁面部シート【４】と家具【１】の側面に貼りつける家具側面部シート【３】を壁面シートの略中央部で連結するが、実用的には図【３】のように連続したシート【３】と【４】を粘着剤層【５】で連結し壁面【２】と家具側面に粘着させる。
図【４】は壁面部シート【４】に、壁面部補強シート【８】を重ねたもので家具側面部シート【３】に引っ張られて、壁面部シート【４】の中央部が持ち上がるのを防ぎ、全体の接合力を増加させるものである。
図【５】はシートの交差点を補強シート【７】を粘着剤層【５】で貼りつけたもので、家具【１】及壁【２】面に粘着する部分を、剥離紙【６】で覆い、作業性
をよくしたものである。【０００８】図【６】は家具側面部シートがマジックテープ【９】，【９】により分離、結合出来るようにしたもので、取り付け作業に便利な場合がある。
【産業上の利用の可能性】
【０００９】東海地震、東南海地震が、時間の問題として、切迫しているとき、家具類、冷蔵庫等、家庭用品のの固定方法は色々工夫されているが、この方法は外観は感心しないものの、極めて安価で取り付け方法も簡単で、実用的であり、製造も容易である。
【図面の簡単な説明】
【００１０】
【図１】本発明の使用状態図
【図２】本発明の基本構造図
【図３】本発明の実施例図
【図４】本発明の他の実施例図
【図５】本発明の他の実施例図
【図６】本発明の他の実施例図
【符号の説明】
【００１１】１    家具
２    壁面
３    家具側面部シート
４    壁面部シート
５    粘着剤層
６    剥離紙
７    補強シート
８    壁面部補強シート
９    マジックテープ
【図１】
2005224562.tif 000003
【図２】
2005224562.tif 000004
【図３】
2005224562.tif 000005
【図４】
2005224562.tif 000006
【図５】
2005224562.tif 000007
【図６】
2005224562.tif 000008
(57)【要約】【課題】  本発明は、布袋に引掛け用の金具を取り付け、ペットボトル、コップ等を入れられるように工夫したもので、たとえば、観劇等の時、座席で使用できる携帯に便利な座席用容器補助具を提供する。【解決手段】  布袋（１）に引掛け用の金具（２）を取り付け、ペットボトル、コップ等を、座席用容器補助具に入れられることを特徴とする。【選択図】  図１
2005224563.tif 000002
【特許請求の範囲】
【請求項１】
布袋（１）に引掛け用の金具（２）を取り付け、ペットボトル、コップ等を入れる携帯用の座席用容器補助具。
【発明の詳細な説明】
【技術分野】
【０００１】  本発明は、布袋に引掛け用の金具を取り付け、ペットボトル、コップ等を入れられるように工夫したもので、たとえば、観劇等の時、座席で使用できる携帯に便利な座席用容器補助具に関するものである。
【背景技術】
【０００２】  従来、劇場等で弁当を食べる時、ロビーや廊下のベンチを使用することが多かった。ところが、ベンチの数が少ないため、あふれた人は座席で食事をするが、お茶などの飲料水の容器の置き場がなく困っていた。
【発明の開示】
【発明が解決しようとする課題】
【０００３】  そのために、次のような問題点があった。
（イ）休憩時間に弁当を食べるためのベンチの席取りが大変でであった。
何故なら早い者勝ちであった。
（ロ）あふれて座席で弁当を食べる人は、たとえば、お茶などの飲料水の置き場がないの    で非常に難儀していた。
（ハ）座席にお茶置き場が出来れば、ベンチの争奪戦もなく、座席でゆっくり弁当が食べ    られる。
本発明は、これらの問題点を解決するためになされたものである。
【課題を解決するための手段】
【０００４】  コップ型をした布袋（１）に座席の背に引掛け用の金具（２）を取り付ける。
布で折りたたみ、携帯可能にした。
本発明は、以上の構成よりなる携帯用の座席用容器補助具である。
【発明の効果】
【０００５】  本発明を使用する事によって、観劇等の時、休憩時間に弁当を食べるためのベンチ（茶が置ける）の争奪戦がなくなる。
お茶などの飲料水の置き場に困ることがなくなる。
自分の席でいつでも好きな時にゆっくりと弁当を食べる事が出来る。
【発明を実施するための最良の形態】
【０００６】  以下、本発明の実施の形態について説明する。
（イ）コップ型に縫った布袋（１）の口に針金の芯（３）を通す。
（ロ）引掛け用の金具（２）を取り付けるための厚手のテープ（４）を縫い付ける。
このテープは補強も兼ねている。
（ハ）コップ型の布袋（１）の布は重量と保温を兼ねて厚手の生地、しかも折りたため    る様に柔かい布の素材を使用する。
本発明は以上のような構成よりなっている。
本発明を使用するときは、携帯用であるためにいつでもどこでも出かける時に持って行け、特に観劇の時等、非常に重宝するものである。
【図面の簡単な説明】
【０００７】
【図１】本発明の斜視図
【図２】本発明の底面図
【図３】本発明の底面内側図
【符号の説明】
【０００８】    １  布袋
２  引掛け用の金具
３  中に針金の芯
４  厚手テープ
【図１】
2005224563.tif 000003
【図２】
2005224563.tif 000004
【図３】
2005224563.tif 000005
(57)【要約】  【課題】  従来のロボット教示装置では、落下時に表示部や教示装置本体が故障し易く、その故障期間中はロボットを使用できなかった。本発明は、落下による故障期間中でも継続してロボットを使用できることを目的としたものである。  【解決手段】  ロボット教示装置は教示装置本体１、保持部２、保持部固定部品３などが設けられている。落下時の衝撃を保持部２の弾性または塑性変形で吸収し、教示装置本体１はその影響を受けることなく継続して使用できる。塑性変形した保持部２はロボットを使用中であっても容易に取り外し、交換または塑性変形の矯正をして再び取り付ける。【選択図】  図１
2005224872.tif 000002
【特許請求の範囲】
【請求項１】
少なくともロボットの教示または操作を指示する教示装置に、前記教示装置を着脱自在に保持する保持部を設け、前記保持部を可とう性部材または弾性部材で構成したロボットの教示装置。
【請求項２】
教示装置外部へ突出する突出部を保持部に設けた請求項１に記載のロボットの教示装置。
【請求項３】
教示装置とロボットの制御装置を接続するケーブルの取り付け位置に対して略反対側に保持部を配置した請求項１または２に記載のロボットの教示装置。
【発明の詳細な説明】
【技術分野】
【０００１】
本発明は落下時の衝撃を緩和する機能を備えたロボットの教示装置に関するものである。
【背景技術】
【０００２】
従来、ロボットの教示装置は制御装置の上部に設けられた表示部及び操作ボタンと、制御装置よりケーブル接続された手元操作装置とで構成されていた。
近年になって、ロボットの機能向上と共にロボットの教示装置も小型・軽量化され、表示部と操作ボタンは手元操作装置に一体装備されている（例えば特許文献１参照）。
【０００３】
図２は前記従来のロボットの教示装置を示しており、１０１は教示装置本体、１０２は運転状態や教示内容等を例えば液晶で表示する表示部、１０３は保持部、１０４はロボットの操作、教示等を指示する複数のキースイッチである。教示装置には、さらに種々の操作用機器が設けられているが、図２においては本発明に関係する部分以外は説明を省略する。
【０００４】
以上のように構成されたロボットの教示装置について、その動作を説明する。ロボットの動作プログラムの教示を行う場合、教示装置本体１０１を手元に把持し、キースイッチ１０４を押すことによってロボットへの種々の指示が行われ、表示部１０２には現在の教示状況が表示される。教示された動作プログラムの運転を行う場合、キースイッチ１０４を押すことによりロボットの運転の実行を行い、運転状態が表示部１０２に表示される。
【特許文献１】特開平５−１００７３７号公報
【発明の開示】
【発明が解決しようとする課題】
【０００５】
しかし、従来のロボットの教示装置は、作業者の不注意等で落下した場合、液晶などの表示部２や教示装置本体１が故障しやすく、また前記故障部品の交換を行う等の修理を終えるまで、ロボットを使用できない課題を有していた。
【０００６】
本発明は、落下時の影響を低減するロボットの教示装置を提供することを目的とする。
【課題を解決するための手段】
【０００７】
上記課題を解決するために本発明のロボットの教示装置は、教示装置を着脱自在に保持する保持部を設け、前記保持部を可とう性部材または弾性部材で構成している。この構成により落下時においては保持部で衝撃を吸収し、教示装置本体への影響を低減する。衝撃を受け変形した保持部は本体より一旦外し、本の形状に矯正して再度ロボットの教示装置に取り付けることにより継続して使用することが可能となる。保持部の変形が著しく矯正困難な場合は、保持部のみ新品に交換して使用することが可能である。
【発明の効果】
【０００８】
以上のように、本発明は落下時におけるロボットの教示装置本体への衝撃の影響を低減し、かつ破損時の修理は交換のみで行え、修理期間中も継続して教示装置を使用することができる。
【発明を実施するための最良の形態】
【０００９】
以下、本発明を実施するための最良の形態について、図１から図２を用いて説明する。
（実施の形態）
図１において、１は教示装置本体、２は壁面などに別途設けられた例えばフック等の保持装置に取り付けて教示装置を保持する保持部、３は保持部２を教示装置１に固定する保持部固定部品、４は制御装置と接続するケーブル取付部、５は教示状態や運転状態を表示する表示部、６はロボットの操作、教示等を指示する複数のキースイッチを示す。
【００１０】
なお、保持部２はケーブル取付部４に対して略反対側に教示装置本体１に設けられ、教示装置本体１より突出している。
【００１１】
以上のように構成されたロボットの教示装置について、その動作を説明する。
【００１２】
まず、保持部２は可とう性部材または弾性部材で構成され、衝撃を吸収し教示装置本体１への影響を和らげる程度の可とう性または弾性を有する必要がある。
【００１３】
ロボットの教示装置を落下した時、教示装置本体１より突出した保持部２が落下箇所となり衝撃を受ける。衝突を受けた保持部２は弾性現象あるいは塑性変形をして衝突力を吸収する。ここで保持部２が塑性変形した場合、保持部固定部品３と共に保持部２を教示装置１から取り外し、変形を矯正し、再び教示装置本体１に取り付けて使用する。もし、保持部２の塑性変形が著しく矯正が困難な場合は、新しい保持部２を用意し交換して使用する。
【００１４】
以上のように、本実施の形態によれば落下時における衝撃を保持部２が吸収し、教示装置本体１への影響を低減することができる。また保持部２の矯正期間または交換期間中も継続して使用することができる。
【産業上の利用可能性】
【００１５】
本発明のロボットの教示装置は、落下時の故障を復旧する期間及び費用を低減することができ、ロボットに用いるロボットの教示装置として産業上有用である。
【図面の簡単な説明】
【００１６】
【図１】本発明の実施の形態におけるロボットの教示装置を示す図で、（ａ）は正面図（ｂ）は背面図
【図２】従来のロボットの教示装置の正面図
【符号の説明】
【００１７】
１・・・教示装置本体
２・・・保持部
３・・・保持部固定部品
４・・・ケーブル取付部
５・・・表示部
６・・・キースイッチ
１０１・・・教示装置本体
１０２・・・表示部
１０３・・・保持部
１０４・・・キースイッチ
【図１】
2005224872.tif 000003
【図２】
2005224872.tif 000004